(57)【特許請求の範囲】
【請求項１】
複数の複写用紙を取り扱い可能な複写機であって、
複写用紙を選択する用紙選択手段と、
原稿を載置する載置台と、
前記載置台の複数の位置で原稿の有無を検知する複数の原稿検知センサと、
前記複数の原稿検知センサの各々の検知結果に基づいて原稿のサイズ及び向きを検知する原稿サイズ検知手段と、
原稿サイズ及び向きに関する情報を必要とする原稿サイズ使用モードを含む所望の複写モードを選択するモード選択手段と、
前記モード選択手段により前記原稿サイズ使用モードが選択されていて前記原稿サイズ検知手段が原稿サイズを検知できない場合に、前記用紙選択手段により選択された複写用紙のサイズ及び向きと前記モード選択手段により選択された複写モードに基づいて原稿のサイズ及び向きを推定する原稿推定手段と、
推定した前記原稿のサイズ及び向きを踏まえて前記選択された複写モードに従って画像を形成する画像形成手段と、
を備えることを特徴とする複写機。
【請求項２】
前記複写モードの１つとして、原稿画像を複数のブロックの画像に分割して各ブロックの画像を拡大して夫々１つの複写用紙に複写するモードを含むことを特徴とする請求項１に記載の複写機。
【請求項３】
更に、前記原稿推定手段を使用するか否かを設定する設定手段と、前記原稿推定手段を使用しない設定がなされていて、前記原稿検知手段が原稿サイズを検知できない場合に警告を行う警告手段と、を有することを特徴とする請求項１又は請求項２に記載の複写機。
【請求項４】
複数の複写用紙を取り扱い可能で、原稿を載置する載置台と、
前記載置台の複数の位置で原稿の有無を検知する複数の原稿検知センサと、原稿サイズ及び向きに関する情報を必要とする原稿サイズ使用モードを含む所望の複写モードを選択するモード選択手段と、を有する複写機の制御方法であって、
複写用紙を選択する用紙選択工程と、
前記複数の原稿検知センサの各々の検知結果に基づいて原稿のサイズ及び向きを検知する原稿サイズ検知工程と、
前記モード選択手段により前記原稿サイズ使用モードが選択されているか否かを判定する判定工程と、
前記判定工程で前記原稿サイズ使用モードが選択されていると判定され、前記原稿サイズ検知工程で原稿サイズを検知できない場合に、前記用紙選択手段により選択された複写用紙のサイズ及び向きと前記モード選択手段により選択された複写モードに基づいて原稿のサイズ及び向きを推定する原稿推定工程と、
推定した前記原稿のサイズ及び向きを踏まえて前記選択された複写モードに従って画像を形成する画像形成工程と、
を備えることを特徴とする複写機の制御方法。
【請求項５】
複数の複写用紙を取り扱い可能で、原稿を載置する載置台と、
前記載置台の複数の位置で原稿の有無を検知する複数の原稿検知センサと、原稿サイズ及び向きに関する情報を必要とする原稿サイズ使用モードを含む所望の複写モードを選択するモード選択手段と、を有する複写機をメモリ媒体上のプログラムに基づいて制御する制御装置であって、前記メモリ媒体は、
複写用紙を選択する用紙選択工程の手順コードと、
前記複数の原稿検知センサの各々の検知結果に基づいて原稿のサイズ及び向きを検知する原稿サイズ検知工程の手順コードと、
前記モード選択手段により前記原稿サイズ使用モードが選択されているか否かを判定する判定工程の手順コードと、
前記判定工程で前記原稿サイズ使用モードが選択されていると判定され、前記原稿サイズ検知工程で原稿サイズを検知できない場合に、前記用紙選択手段により選択された複写用紙のサイズ及び向きと前記モード選択手段により選択された複写モードに基づいて原稿のサイズ及び向きを推定する原稿推定工程の手順コードと、
推定した前記原稿のサイズ及び向きを踏まえて前記選択された複写モードに従って画像を形成する画像形成工程の手順コードと、
を備えることを特徴とする複写機の制御装置。
【発明の詳細な説明】
【０００１】
【発明の属する技術分野】
本発明は、複写機及びその制御装置及びその方法に係り、特に、複数の複写用紙を取り扱い可能な複写機及びその制御装置及びその方法に関するものである。
【０００２】
【従来の技術】
従来の複写機は、複写の対象となる原稿サイズを検知する原稿サイズ検知手段を備え、これによって原稿載置台に載置された原稿サイズを検知し、その原稿サイズに基づいて複写動作を制御していた。そして、この原稿サイズ検知手段によって、原稿サイズを検知できない場合には、その原稿を扱い得る最大サイズの原稿であると看做して処理を行っていた。サイズの不明な原稿を、その実際のサイズよりも小さいものとして扱うと、複写した結果において画像の一部が欠損することになるからである。
【０００３】
【発明が解決しようとする課題】
しかしながら、複写モードとして様々なモードが発案され、原稿サイズに関しても小さなサイズの原稿を使用するようになり、また、原稿サイズと設定された用紙サイズとを踏まえて複写の倍率などを計算し、画像を移動させるような複写モードなどになると、原稿サイズを正確に認識しなければ余白部分の多い画像が出力されたり、画像が欠けたりするという問題点があった。
【０００４】
本発明は、上記課題に鑑みてなされたものであり、原稿の形状が検知できない場合においても、設定された複写に関する条件から原稿の形状を推定して適切な複写を実行可能な複写装置及びその制御装置及びその方法を提供することを目的とする。
【０００５】
【課題を解決するための手段】
上記課題を解決するため、本発明に係る複写機は、複数の複写用紙を取り扱い可能な複写機であって、複写用紙を選択する用紙選択手段と、原稿を載置する載置台と、前記載置台の複数の位置で原稿の有無を検知する複数の原稿検知センサと、前記複数の原稿検知センサの各々の検知結果に基づいて原稿のサイズ及び向きを検知する原稿サイズ検知手段と、原稿サイズ及び向きに関する情報を必要とする原稿サイズ使用モードを含む所望の複写モードを選択するモード選択手段と、前記モード選択手段により前記原稿サイズ使用モードが選択されていて前記原稿サイズ検知手段が原稿サイズを検知できない場合に、前記用紙選択手段により選択された複写用紙のサイズ及び向きと前記モード選択手段により選択された複写モードに基づいて原稿のサイズ及び向きを推定する原稿推定手段と、推定した前記原稿のサイズ及び向きを踏まえて前記選択された複写モードに従って画像を形成する画像形成手段と、を備えることを特徴とする。
【０００６】
本発明の好適な実施の態様に拠れば、例えば、前記複写モードの１つとして、原稿画像を複数のブロックの画像に分割して各ブロックの画像を拡大して夫々１つの複写用紙に複写するモードを含む。
【０００７】
また、例えば、前記原稿推定手段を使用するか否かを設定する設定手段と、前記原稿推定手段を使用しない設定がなされていて、前記原稿検知手段が原稿サイズを検知できない場合に警告を行う警告手段と、を更に有する。
【０００８】
本発明に係る複写機の複写機の制御方法は、複数の複写用紙を取り扱い可能で、原稿を載置する載置台と、前記載置台の複数の位置で原稿の有無を検知する複数の原稿検知センサと、原稿サイズ及び向きに関する情報を必要とする原稿サイズ使用モードを含む所望の複写モードを選択するモード選択手段と、を有する複写機の制御方法であって、複写用紙を選択する用紙選択工程と、前記複数の原稿検知センサの各々の検知結果に基づいて原稿のサイズ及び向きを検知する原稿サイズ検知工程と、前記モード選択手段により前記原稿サイズ使用モードが選択されているか否かを判定する判定工程と、前記判定工程で前記原稿サイズ使用モードが選択されていると判定され、前記原稿サイズ検知工程で原稿サイズを検知できない場合に、前記用紙選択手段により選択された複写用紙のサイズ及び向きと前記モード選択手段により選択された複写モードに基づいて原稿のサイズ及び向きを推定する原稿推定工程と、推定した前記原稿のサイズ及び向きを踏まえて前記選択された複写モードに従って画像を形成する画像形成工程と、を備えることを特徴とする。
【０００９】
本発明に係る複写機の複写機の制御装置は、複数の複写用紙を取り扱い可能で、原稿を載置する載置台と、前記載置台の複数の位置で原稿の有無を検知する複数の原稿検知センサと、原稿サイズ及び向きに関する情報を必要とする原稿サイズ使用モードを含む所望の複写モードを選択するモード選択手段と、を有する複写機をメモリ媒体上のプログラムに基づいて制御する制御装置であって、前記メモリ媒体は、複写用紙を選択する用紙選択工程の手順コードと、前記複数の原稿検知センサの各々の検知結果に基づいて原稿のサイズ及び向きを検知する原稿サイズ検知工程の手順コードと、前記モード選択手段により前記原稿サイズ使用モードが選択されているか否かを判定する判定工程の手順コードと、前記判定工程で前記原稿サイズ使用モードが選択されていると判定され、前記原稿サイズ検知工程で原稿サイズを検知できない場合に、前記用紙選択手段により選択された複写用紙のサイズ及び向きと前記モード選択手段により選択された複写モードに基づいて原稿のサイズ及び向きを推定する原稿推定工程の手順コードと、推定した前記原稿のサイズ及び向きを踏まえて前記選択された複写モードに従って画像を形成する画像形成工程の手順コードと、を備えることを特徴とする。
【００１５】
【発明の実施の形態】
以下、図面を参照しながら本発明の実施の形態の一例を説明する。
【００１６】
図１は、原稿サイズの検知機構の概念的な構成を示す図である。５００は複写機の原稿台カバー、５０１は原稿、５０２は原稿載置台として機能する原稿台ガラスである。原稿台カバー５００が、閉じられて所定の角度５２５に至ると、原稿台カバー５００と原稿台ガラス５０２とがなす幅を検知する幅検知センサ５２０は、原稿台カバー５００が閉じられたことを示す信号をＣＰＵ（後述の５３０に対応）に出力する。ＣＰＵは、この信号に基づいて反射型センサ５１０を制御し、そのＬＥＤ５１２から原稿台ガラス５０２に向かって光を照射せしめる。反射型センサ５１０のトランジスタ５１１は、反射光より反射体（原稿５０２またはそれ以外）の濃度を検知する。そしてＣＰＵは、検知した濃度から各反射型センサの上方に原稿が存在するか否かを判定し、原稿サイズを定型のサイズとして認識する。なお、ＬＥＤ５１２は、劣化を防止するために必要時のみ駆動することが好ましい。
【００１７】
図２は、原稿台ガラスの上面から見た複写機の構成を示す図である。同図（ａ）は、ＡＢ系原稿（Ａ４，Ａ４Ｒ，Ｂ５，Ｂ５Ｒ，Ｂ４，Ａ３）用の構成を示している。原稿台ガラス５０２の裏面には、反射型センサ５１０ａ〜５１０ｄが配されている。反射型センサ５１０ａ〜５１０ｄ（以下、センサ０〜４ともいう）及び幅検知センサ５２０は、ＣＰＵ５３０に接続されている。また、同図（ｂ）は、インチ系原稿（ＬＥＴＴＥＲ，ＬＥＧＡＬ，ＬＥＴＴＥＲ−Ｒ，１１×１７）の構成を示している。原稿台ガラスの裏面には、反射型センサ５１０ａ〜５１０ｃが配されている。反射型センサ５１０ａ〜５１０ｃ（以下、センサ０〜３ともいう）及び幅検知センサ５２０は、ＣＰＵ５３０に接続されている。
【００１８】
図３は、反射型センサによる濃度検知と原稿サイズの対応を示す図である。同図（ａ）はＡＢ系原稿の場合を、（ｂ）はインチ系原稿の場合を夫々示している。また、図中の”０”は、センサ上に原稿が存在しないことを、”１”は、センサ上に原稿が存在することを示している。例えば、ＡＢ系原稿の場合において、センサ０〜４が、夫々原稿の存在を示しているときは、その原稿がＡ３サイズであることを意味する。図示の対応関係は、例えば、ＣＰＵ５３０に接続されたメモリ手段等に記憶しておき、適宜ＣＰＵ５３０がそれを参照することによって、原稿サイズを認識することができる。
【００１９】
図４は、複写機の構成例を示す図である。同図において、１００は複写装置本体、２００は原稿の自動給送を行う循環式自動原稿送り装置（フィーダ）、２５０は仕分け装置（ソータ）である。フィーダ２００及びソータ２５０は、本体１００に対して自在に組合わせて使用可能に構成されている。
【００２０】
１０１は原稿載置台としての原稿台ガラス（前記５０２に対応）である。１０２は画像読み取り手段として機能する光学系であり、原稿照明ランプ（露光ランプ）１０３、走査ミラー、レンズ１４３、モータ１０４等から構成されており、モータ１０４により走査しつつ露光ランプ１０３で原稿を照明し、原稿からの反射光を走査ミラーとレンズ１４３により感光体ドラム１０５に照射する。感光体ドラム１０５の周囲には、１次帯電器１０６、ブランク露光ユニット１０７、電位センサ１０８、現像器１０９、転写帯電器１１０、分離帯電器１１１、クリーニング装置１１２等が備えられ、これらにより画像記録手段が構成されている。
【００２１】
感光体ドラム１０５は、メインモータ１１３により図示の矢印の方向に回転し、１次帯電器１０６によりコロナ帯電され、光学系１０２から原稿の反射光が照射されると、静電潜像が形成される。この静電潜像は、現像器１０９により現像されてトナー像として可視化される。一方、上段カセット１１４あるいは下段カセット１１５からピックアップローラ１１６，１１７を介し、給紙ローラ１１８，１１９により本体１００内に送られた複写用紙が、レジストローラ１２０によりトナー像の先端と複写用紙の先端とが一致するようにタイミングがとられた後、感光体ドラム１０５に給送され、転写帯電器１１０によりトナー像が転写される。そして、転写の後、複写用紙は分離帯電器１１１により感光体ドラム１０６から分離され、搬送ベルト１２１により定着器１２２に導かれて加圧、加熱により定着され、続いて排出ローラ１２３により本体１００の外部に排出される。また、感光体ドラム１０５は、クリーニング装置１１２により、その表面が清掃される。
【００２２】
本体１００には、例えば４０００枚の複写用紙を収納し得るデッキ１２４が装備されている。デッキ１２４のリフタ１２５は、給紙ローラ１２６に複写用紙が常に当接するように、複写用紙の量に応じて上昇する。
【００２３】
排紙フラッパ１２７は、両面記録側若しくは多重記録側と、排出側（ソータ２５０）との経路を切り替える。排出ローラ１２３から送り出された複写用紙は、さらに、この排紙フラッパ１２７により両面記録側若しくは多重記録側に切り替えられる。
【００２４】
両面記録と多重記録の経路を切り替える多重フラッパ１３１は、左方向に倒されることにより複写用紙を反転パス１２９または下搬送パス１２８に導く。下搬送パス１２８は、排出ローラ１２３から送り出された複写用紙を、直接、または反転パス１２９を介して複写用紙を裏返して再給紙トレイ１３０に搬送するパスである。
【００２５】
給紙ローラ１３２は、経路１３３を通して複写用紙を感光体ドラム１０５側に給紙する。排出ローラ１３４は、排紙フラッパ１２７の近傍に配置されており、排紙フラッパ１２７により排出側に切り替えられた複写用紙を本体１００の外部に排出する。両面記録（両面複写）や多重記録（多重複写）の際には、排紙フラッパ１２７を上方に上げて、複写済みの複写用紙を搬送パス１２８，１２８（両面記録時）を介して裏返した状態で再給紙トレイ１３０に格納する。このとき、両面記録時には多重フラッパ１３１を右方向へ倒し、多重記録時には多重フラッパ１３１を左方向へ倒す。
【００２６】
次いで実行される裏面記録時や多重記録時には、再給紙トレイ１３０に格納されている複写用紙が、下から１枚づつ給紙ローラ１３２により経路１３３を介してレジストローラ１２０に導かれる。
【００２７】
本体１００から複写用紙を反転して排出する時は、排紙フラッパ１２７を上方へ上げ、フラッパ１３１を右方向へ倒し、複写済みの複写用紙を搬送パス１２９側へ搬送し、その複写用紙の後端が送りローラ１４０を通過した後に、反転ローラ１４２によってその複写用紙を送りローラ側１４１へ搬送し、排出ローラ１３４によってその複写用紙を裏返して外部に排出する。
【００２８】
図５は、複写機本体１００に備えられた操作部６００の構成例を示す図である。ユーザモードキー６０１は、複写機の仕様や標準モード等の設定の他、クリーニング等を行う際に使用される。カーソルキー６２７は、モード設定時において設定項目を選択する際に使用される。ＯＫキー６２８は、モード設定時において設定内容を確定する際に使用される。
【００２９】
オールリセットキー６０６は、設定を標準モードに戻す際に使用される。複写開始キー（コピースタートキー）６０５は、複写を開始する際に使用される。クリア／ストップキー６０４は、待機（スタンバイ）中はクリアキー、複写中はストップキーとしての機能を有する。クリアキーとして機能するときは、設定した複写枚数を解除することもできる。またストップキーとして機能するときは、連続複写を中断することができ、この場合キー入力した時点における複写処理が終了した後に複写処理が停止する。
【００３０】
テンキー６０３は、複写枚数を設定する際に使用される他、モードを選択するための数値を設定する際にも使用される。メモリキー６１９は、オペレータが頻繁に使用するモードを登録しておくときに使用される。この例においては、Ｍ１〜Ｍ４の４通りのモードの登録が可能である。複写濃度キー６１１及び６１２は、複写濃度を手動で調節する際に使用される。ＡＥキー５１３は、原稿の濃度に応じて複写濃度を自動的に調節するＡＥ（自動濃度調節）モードと、濃度調節を手動で調整するマニュアルモードをを切り換える際に使用される。
【００３１】
複写用紙選択キー６０７は、上段ペーパリフタ１１４、下段ペーパリフタ１１５、ペーパデッキ１２４、マルチ手差しユニット１５０を選択する際に使用される。フィーダ２００に原稿が載置されているときは、複写用紙選択キー６０７によりＡＰＳ（自動紙カセット選択）機構を指定することできる。
【００３２】
等倍キー６１０は、等倍（原寸）の複写を実行する際に使用される。オート変倍キー６１６は、指定した複写用紙のサイズに合わせて原稿の画像を自動的に縮小・拡大を指定する際に使用される。両面キー６２６は、片面原稿から両面複写、両面原稿から両面複写、両面原稿から片面複写を実行する際に使用される。綴じ代キー６２５は、複写用紙の左右上下側へ指定された長さの綴じ代を作成する際に使用される。写真キー６２４は、写真原稿を複写する際に使用される。多重キー６２３は、２つの原稿から複写用紙の同じ面に画像を作成（合成）する際に使用される。枠消しキー６２１は、原稿枠消し、シート枠消し、パンチ穴消し、ブック枠消しなどを設定する際に使用される。ズームプログラムキー６２１は、原稿上の長さ、複写用紙上の長さを入力し、その長さに対する倍率を計算し、その倍率で複写を行う際に使用される。
【００３３】
拡大レイアウト設定キー６２９は、１枚の原稿に縮小された複数の原稿がレイアウトされている原稿を元の複数の原稿に戻すモードを指定するキーである。ページ連写キー６３０は、見開きの本等の左右ページを連続して複写する際に使用される。簡易縮小キー６３２は、原稿を僅かに縮小するモードを選択するキーである。
【００３４】
ガイドキー６３３は、各種キーに対応する機能の説明を、メッセージディスプレイ７０１に表示する際に使用される。排紙方法選択キー６１４は、ステイプルソート、ソート、グループの排紙方法を選択するキーであり、ステイプルソータが接続されている場合に、記録後の複写用紙を排紙する方法として、ステイプルソートモード、ソートモード、グループモードの選択及びそれらのモードの解除を指示する際に使用される。予約キー６３１は、予約トレイ２１０に載置された予約原稿に対する複写モードの設定を開始するとき、及び予約設定を解除する際に使用される。
【００３５】
メッセージディスプレイ７０１は、複写に関する情報（例えば、設定条件）を表示するＬＣＤ（液晶）タイプの表示器であり、タッチパネルとしても機能する。メッセージディスプレイ７０１は、例えば、テンキー６０３で設定した複写枚数、定型変倍キー６０８，６０９、等倍キー６１０、ズームキー６１７，６１８で設定した複写倍率、用紙選択キー５０７で選択した用紙サイズ、複写機本体１００の状態を示すメッセージ、操作手順を示すガイドメッセージ、その他各種モードの設定内容を表示する。ＡＥ表示器７０４は、ＡＥキー６１３によりＡＥ（自動濃度調節）モードを選択したときに点灯する表示器である。余熱表示器７０９は、余熱状態の時に点灯する表示器である。
【００３６】
図６は、複写機の制御系の構成例を示すブロック図である。制御回路１００４は、複写機全体を制御する回路であり、ＣＰＵ１００４ａ、ＲＯＭ１００４ｂ、ＲＡＭ１００４ｃ、フロッピーディスクドライブ（ＦＤＤ）１００４ｄを含む。ＲＯＭ１００４ｂは、ＣＰＵ１００４ａに供給するプログラムコードを格納するメモリであり、当該プログラムには、複写機を統括的に制御する一般的なプログラムの他に後述する複写処理プログラム（図７参照）が含まれる。
【００３７】
操作部６００は、前述のように、各種コピーモード（例えば、片面、両面、多重モード、複写倍率、カセット選択等）の設定キー、複写枚数などを設定するテンキー、複写動作の開始を指示するスタートキー、複写動作の停止を指示するストップキー、動作モードを標準状態に復帰するリセットキー等のキー入力部、及び動作モードの設定状態等を表示するＬＥＤや液晶等のメッセージディスプレイ等が配置されている。
【００３８】
サーミスタ３０２は、定着ローラ１４４の表面温度を検出する。検出された表面温度のアナログ値は、Ａ／Ｄ変換器３０１に供給され、ここでＡ／Ｄ変換されたデータが制御回路１００４に入力される。制御回路１００４は、サーミスタ３０２からＡ／Ｄ変換器を介して供給されるデータ（表面温度）に基づいて、定着ローラ１４４の表面温度が所定値になるように制御する。
【００３９】
高圧制御部３０３は、１次帯電器１０６、転写帯電器１１０等の帯電系、及び現像器１０９等に所定の電位を印加する高圧ユニット３０４の制御を行う。モータ制御部３０５は、各種ステッピングモータやメイン駆動モータ等のモータ３０６の駆動を制御する。ＤＣ負荷制御部３０７は、ピックアップローラ１１６用等のソレノイド、レジストローラ１２０用等のクラッチ、及びファン等の駆動を制御する。センサー類３０８は、複写用紙の紙づまり等を検知し、それを制御回路１００４に供給する。
【００４０】
ＡＣドライバー１０００は、原稿照明ランプ１０３等のＡＣ負荷３０９及び定着ヒータ３１１へのＡＣ電源供給を制御する。また、ＡＣドライバー１０００は、原稿照明ランプ１０３、定着ヒータ３１１等の異常を検出し、シャットオフ機能付きのメインスイッチ（ＭＳＷ）１００１をオフ状態にする。さらに、ＡＣドライバ１０００は、制御回路１００４の制御に基づいて、メインスイッチ１００１の前後のＡＣ入力が切り換えて電源１１００に入力する。
【００４１】
電源１１００は、制御回路１００４等にＤＣ電源を供給する。電源１１００には、ＡＣドライバ１０００からＡＣ電源が供給されると共に入力電源プラグ３１１からメインスイッチ１００１及びドアスイッチ１００７を介してＡＣ電源が供給される。
【００４２】
ペーパデッキ１２４は、複写用紙の積載枚数を増やすための給紙装置、フィーダー２００は、複数のための原稿を自動的にセットする自動原稿送り装置、ソータ２５０は、排出される複写用紙を仕分けする仕分け装置である。
【００４３】
以下、上記複写機の動作を説明する。本実施の形態においては、原稿サイズが検知できない場合に、設定されている複写モードと用紙サイズとから原稿サイズを推定するものである。この場合の複写モードには、例えば、簡易縮小モードや拡大レイアウトモードがある。
【００４４】
図８は、簡易縮小モードにおける原稿サイズ及びその向きの推定処理を概念的に示す図である。簡易縮小モードは、前述のように、原稿を僅かに縮小するモードであり、例えば、原稿を僅かに縮小し、原稿のサイズと同一の複写用紙に複写するものである。このとき、例えば、横置きの複写用紙が選択されている場合には、原稿も横置きであるものと推定する。反対に、縦置きの複写用紙が選択されている場合には、原稿も縦置きであるものと推定する。したがって、オペレータは、複写用紙のサイズを選択することによって、原稿サイズを複写機に認識させることができる。また、複写用紙の向きを選択することによって、原稿の向きを複写機に認識させることができる。換言すると、複写機は、原稿台ガラス５００上に載置された原稿サイズ及びその向きを検知することができない場合においても、選択された複写用紙のサイズ及びその向きから原稿サイズ及びその向きを推定することができ、原稿サイズ等を検知できないことに起因する複写の誤りを低減し、複写処理を効率化することができる。なお、用紙サイズ及びその向きは通常一括して選択（例えば、Ａ４はＡ４サイズ縦置き、Ａ４ＲはＡ４サイズ横置き等）される。
【００４５】
図９は、拡大レイアウトモードにおける原稿サイズ及びその向きの推定処理を概念的に示す図である。拡大レイアウトモードは、前述のように、１枚の原稿に、縮小された複数の原稿がレイアウトされた状態から元の複数の原稿に戻すモードである。
【００４６】
同図の（ａ）は、２つの原稿９１０ａ及び９１０ｂが縮小されて１つの原稿９１０をなす状態から各原稿９１０ａ及び９１０ｂを拡大し、９１０ａ’及び９１０ｂ’を得るモード（１ｔｏ２モード）であって、縦置きの用紙が選択された場合を示している。逆説すると、１ｔｏ２モード及びＡ５サイズ（縦）が選択されている場合、原稿９１０のサイズ及び向きを推定することができる。
【００４７】
同図の（ｂ）は、４つの原稿９２０ａ〜９２０ｄが縮小されて１つの原稿９２０をなす状態から各原稿９２０ａ〜９２０ｄを拡大し、９２０ａ’〜９２０ｄ’を得るモード（１ｔｏ４モード）であって、縦置きの用紙が選択された場合を示している。逆接すると、１ｔｏ４モード及びＡ５サイズ（縦）が選択されている場合、原稿９２０のサイズ及び向きを推定することができる。
【００４８】
同図の（ｃ）は、２つの原稿９３０ａ及び９３０ｂが縮小されて１つの原稿９３０をなす状態から各原稿９３０ａ及び９３０ｂを拡大し、９３０ａ’及び９３０ｂ’を得るモード（１ｔｏ２モード）であって、横置きの用紙が選択された場合を示している。逆接すると、１ｔｏ２モード及びＡ５サイズ（横；Ａ５Ｒ）が選択されている場合、原稿９３０のサイズ及び向きを推定することができる。
【００４９】
以上のように、例えば、１ｔｏ２、１ｔｏ４等の拡大レイアウトモードが選択され、用紙のサイズ（例えば、Ａ５）及びその向き（縦または横）が選択されると、その設定条件から原稿サイズ（例えば、Ａ５）及びその向きを推定することができる。
【００５０】
図７は、複写機の制御の流れを示すフローチャートである。この処理は、複写処理に関する各種モード及び用紙サイズを設定された後に、複写の開始を指示する複写開始キー６０５が押下されることによって実行される。また、このフローチャートに係る複写処理プログラムは、前述の如く、ＲＯＭ１００４ｂに格納されている。しかしながら、この複写処理プログラムは、例えば、フロッピーディスクに格納してフロッピーディスクドライブ（ＦＤＤ）１００４ｄから供給することもできる。この場合、既存の複写機に本実施の形態に係る原稿推定処理の機能を追加することも容易である。
【００５１】
先ず、ステップＳ７０１では、原稿サイズに関するモードが圧板モードであるか、ＤＨモードであるかを判定する。ここで、圧板モードとは、原稿を原稿台ガラス５０２上に載置して、原稿台カバー５００を閉じて複写するモード、すなわち、前述のように、原稿サイズをセンサ５１０を用いて検知し、それに基づいて複写処理を行うモードである。一方、ＤＨモードとは、原稿を原稿台ガラス５０２上に載置して原稿台カバー５００を開いたまま複写するモードである。判定の結果、圧板モードである場合には、ステップＳ７０２に進み、ＤＨモードである場合にはステップＳ７０７に進み、設定されたモードでそのまま複写を実行する。
【００５２】
ステップＳ７０２では、複写のモードが原稿サイズ及び向きに関する情報を必要とする原稿サイズ使用モード（例えば、簡易縮小モード、拡大レイアウトモード等）であるか否かを判定する。その結果、原稿サイズ使用モードである場合には、ステップＳ７０３に進み、原稿サイズ使用モードでない場合にはステップＳ７０７に進む。
【００５３】
ステップＳ７０３では、原稿サイズ等を反射型センサー５１０によって検知することができるか否かを判定する。そして、原稿サイズ等を検知できる場合には、ステップＳ７０７に進む。この場合、以下の原稿推定処理（ステップＳ７０４〜Ｓ７０６）を実行するまでもなく、原稿サイズ及びその向きを認識することができるからである。一方、原稿サイズ等を検知できない場合には、ステップＳ７０４に進み、原稿サイズ及びその向きを推定する原稿推定処理（ステップＳ７０４〜Ｓ７０６）を実行する。
【００５４】
ステップＳ７０４では、設定されている用紙サイズ及びその向きを確認する。本実施の形態においては、縦方向の用紙として、例えば、Ａ４，Ｂ５，Ａ５を選択可能であり、横方向の用紙として、例えば、Ａ５Ｒ，Ａ４Ｒ，Ｂ５Ｒ，Ｂ４，Ａ３を選択することができる。
【００５５】
ステップＳ７０５では、設定されているモードを確認する。本実施の形態においては、例えば、簡易縮小モード、拡大縮小モード等を選択することができる。
【００５６】
ステップＳ７０６では、ステップＳ７０４で確認した用紙のサイズ及びその向きと、ステップＳ７０５で確認したモードとに基づいて、原稿サイズ及びその向きを推定する。例えば、図８に示すように、用紙の設定がＡ５Ｒ（Ａ５サイズ、横置き）であり、簡易縮小モードが設定されている場合は、原稿はＡ５サイズ横置きであると判断する。また、用紙の設定がＡ５（Ａ５サイズ、縦置き）であり、簡易縮小モードが設定されている場合は、原稿はＡ５サイズ縦置きであると推定する。また、例えば、図９（ａ）に示すように、用紙の設定がＡ５（Ａ５サイズ、縦置き）であり、拡大レイアウトモード（１ｔｏ２）が設定されている場合は、原稿は、Ａ５サイズ横置きと推定する。また、例えば、図９（ｂ）に示すように、用紙の設定がＡ５（Ａ５サイズ、縦置き）であり、拡大レイアウトモード（１ｔｏ４）が設定されている場合は、原稿は、Ａ５サイズ縦置きと推定する。また、例えば、図９（Ｃ）に示すように、用紙の設定がＡ５Ｒ（Ａ５サイズ、横置き）であり、拡大レイアウトモード（１ｔｏ２）が設定されている場合は、原稿は、Ａ５サイズ横置きと推定する。
【００５７】
図１０は、用紙サイズ及びその向きとモードの設定から推定される原稿サイズ及びその向きの一例を示す図である。原稿推定テーブルは、例えば、ＲＯＭ１００４ｂに格納されている。なお、この原稿推定テーブル８００は、本実施の形態を説明するための一例に過ぎず、用紙サイズ等は他のサイズであっても良いし、インチ系の用紙であっても良い。また、モードに関しても、例えば、拡大倍率（例えば、２倍、４倍等）や拡大方法等を指定するモードであっても良い。
【００５８】
ステップＳ７０７では、検知した原稿サイズ及びその向き、若しくは原稿推定処理において推定された原稿サイズ及びその向きを踏まえ、設定されたモードに対応する複写用画像データを生成する。そして、ステップＳ７０８では、生成した画像データに基づいて画像を形成し、複写を完了する。
【００５９】
以上説明したように、本実施の形態に拠れば、原稿サイズ等を検知できないことに起因する複写の誤りを低減し、複写処理を効率化することができる。
【００６０】
また、原稿サイズ等を推定する制御プログラムを追加することにより、原稿サイズ等を推定する機能を実現することができるため、既存の複写機を該制御プログラムによって容易に改良することができる。
＜実施の形態の応用例＞
上記の実施の形態は、設定された用紙サイズ等とモードとから原稿サイズ等を推定し、推定した原稿サイズ等を踏まえて複写処理を実行する例であるが、このような機能の使用を望まない場合も当然に考えられる。例えば、原稿がＡ５サイズであるが、それをＡ４サイズの原稿として扱って簡易縮小モードを用いてＡ５サイズに複写したい場合などである。この場合、上記の実施の形態に拠れば、設定された用紙サイズから原稿サイズをＡ５サイズと推定することになり、所望の複写を実行することができない。
【００６１】
本応用例は、上記の問題点を解決するため、上記の原稿の推定機能を使用するか否かを選択する機能を備えたものである。図１１は、本応用例に係る複写機の操作部６００の構成例を示す図である。また、図１２は、本応用例に係る複写機の制御系の構成例を示すブロック図である。なお、上記の実施の形態と同様の部分には、同一の符号を付し、説明を省略する。
【００６２】
原稿推定キー９０１は、原稿サイズ及びその向きを推定するか否かを切り替えるキーである。なお、この原稿の推定機能のオンオフ（有効／無効）状態は、例えば、メッセージディスプレイ７０１に表示することが好ましい。
【００６３】
ブザー９０２は、原稿を推定する機能がオフの状態で、原稿サイズを検知できない場合に所定のタイミングで警告を発するために使用される。このような警告の手段は、ブザー９０２に限定されるものではなく、例えば、メッセージディスプレイ７０１等に警告を表示しても良い。
【００６４】
上記の警告を出力するタイミングは、例えば、図７に示すフローチャートのステップＳ７０３において、原稿サイズを検知できないと判断したときでも良いし、ステップＳ７０２において、原稿サイズ使用モードであると判断したときでも良いし、ステップＳ７０１において、圧板モードであると判断したときでも良い。
【００６５】
以上のように、原稿を推定する機能をオンオフ切り換えする機能を備えることにより、かかる機能が不要な場合において意図しない原稿推定処理に伴う複写の誤りを防止することができる。また、原稿を推定した方が良い可能性がある場合（例えば、原稿サイズを検知できない場合）には、原稿の推定機能がオフ状態であることを警告する手段を備えることにより、原稿の推定機能がオフ状態であることに起因する複写の失敗を抑制することができる。
【００６６】
さらに、ブザー９０２等の警告の手段は、例えば、原稿の推定機能がオンの状態においても利用することができる。例えば、原稿の推定機能がオン状態であるときに、ステップＳ７０３で原稿サイズを検知可能であると判断した場合、上記の説明においては、ステップＳ７０７に直接進み、複写を行う。しかし、この場合においても、原稿推定処理（ステップＳ７０４〜Ｓ７０６）を実行し、その推定に係る原稿サイズ及びその向きと、センサによって検知した原稿サイズ及びその向きとを比較し、それが一致する場合には、ステップＳ７０７に進み、一致しない場合にはブザー９０２等の警告の手段を用いて警告を出力するように制御しても良い。これによりオペレータに対して注意を喚起することができる。
【００６７】
また、本発明は、複数の機器から構成されるシステムに適用しても、単体の機器からなる装置に適用しても良い。また、本発明はシステム或は装置にプログラムを供給することによって実施される場合にも適用できることは言うまでもない。この場合、本発明に係るプログラムを格納した記憶媒体が本発明を構成することになる。そして、該記憶媒体からそのプログラムをシステム或は装置に読み出すことによって、そのシステム或は装置が、予め定められた仕方で動作する。
【００６８】
【発明の効果】
以上説明したように本発明に拠れば、設定された複写用紙の種類や複写モードから原稿の形状を推定することにより、複写の誤りを低減し、複写処理を効率化することができるという効果がある。
【００６９】
また、原稿の形状を推定する制御プログラムを追加することにより、その機能を実現することができるため、既存の複写機を該制御プログラムによって容易に改良することができるという効果がある。
【００７０】
【図面の簡単な説明】
【図１】原稿サイズの検知機構の概念的な構成を示す図である。
【図２】原稿台ガラスの上面から見た複写機の構成を示す図である。
【図３】反射型センサによる濃度検知と原稿サイズの対応を示す図である。
【図４】複写機の構成例を示す図である。
【図５】複写機本体に備えられた操作部の構成例を示す図である。
【図６】複写機の制御系の構成例を示すブロック図である。
【図７】複写機の制御の流れを示すフローチャートである。
【図８】簡易縮小モードにおける原稿サイズ及びその向きの推定処理を概念的に示す図である。
【図９】拡大レイアウトモードにおける原稿サイズ及びその向きの推定処理を概念的に示す図である。
【図１０】用紙サイズ及びその向きとモードの設定から推定される原稿サイズ及びその向きの一例を示す図である。
【図１１】応用例に係る複写機の操作部の構成例を示す図である。
【図１２】応用例に係る複写機の制御系の構成例を示すブロック図である。
【図１】
0003666954.tif 000002
【図２】
0003666954.tif 000003
【図３】
0003666954.tif 000004
【図４】
0003666954.tif 000005
【図５】
0003666954.tif 000006
【図６】
0003666954.tif 000007
【図７】
0003666954.tif 000008
【図８】
0003666954.tif 000009
【図９】
0003666954.tif 000010
【図１０】
0003666954.tif 000011
【図１１】
0003666954.tif 000012
【図１２】
0003666954.tif 000013